【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
操作者によって覗き込まれた状態で画像が視認される第１の表示部と、
操作者によって覗き込まれることなく画像が視認される第２の表示部と、
前記第２の表示部の少なくとも一部の領域に設けられ、前記操作者の指の接触及び指の移動を検出する入力検出部と、
前記入力検出部によって前記操作者の指の接触が検出された場合に、前記第１の表示部に表示装置の設定に係る指標の表示を開始させ、前記入力検出部によって前記操作者の指の移動が検出された場合に、該指の移動の状態に従って前記指標の表示位置を移動させる制御部と、
を具備することを特徴とする表示装置。
【請求項２】
前記制御部は、前記入力検出部によって検出された前記指の接触位置に応じた前記第１の表示部上の位置から前記指標の表示を開始させることを特徴とする請求項１に記載の表示装置。
【請求項３】
前記制御部は、前記入力検出部によって検出された前記指の接触位置によらない前記第１の表示部上の第１の所定の位置から前記指標の表示を開始させることを特徴とする請求項１に記載の表示装置。
【請求項４】
前記制御部は、前記入力検出部によって前記指の非接触が検出された場合又は前記第２の表示部上の第２の所定の位置への前記指の移動が検出された場合に、前記指標の表示を終了させることを特徴とする請求項１乃至３の何れか１項に記載の表示装置。
【請求項５】
前記制御部は、前記入力検出部によって前記指の非接触が検出された後、再度、前記入力検出部によって前記指の接触が検出された場合に、該指の接触位置に応じた前記第１の表示部上の位置から前記指標の表示を再開することを特徴とする請求項４に記載の表示装置。
【請求項６】
前記制御部は、前記入力検出部によって前記指の非接触が検出された後、再度、前記入力検出部によって前記指の接触が検出された場合に、該指の接触位置によらない前記第１の表示部上の第１の所定の位置から前記指標の表示を再開することを特徴とする請求項４に記載の表示装置。
【請求項７】
前記制御部は、前記入力検出部によって特定の指の移動の状態が検出された場合に、前記指標が位置している当該表示装置の設定を確定することを特徴とする請求項１乃至６の何れか１項に記載の表示装置。
【請求項８】
前記制御部は、前記入力検出部によって検出された前記指の移動に応じて前記第１の表示部上の離散的に複数定められた位置に前記指標の表示位置を順次移動させることを特徴とする請求項１乃至７の何れか１項に記載の表示装置。
【請求項９】
前記制御部は、前記入力検出部によって検出された前記指の移動の速度に応じて前記指標の移動幅を変更することを特徴とする請求項８に記載の表示装置。
【請求項１０】
前記第２の表示部の少なくとも一部の領域が変更されることを特徴とする請求項１乃至９の何れか１項に記載の表示装置。
【請求項１１】
前記指標は、ＡＦ目標枠、ＡＥ目標枠、被写体の追尾枠、顔選択枠、前記表示装置が備えられた撮像装置の撮影条件の設定枠、当該表示装置のモード設定枠、の少なくとも何れかを含むことを特徴とする請求項１乃至１０の何れか１項に記載の表示装置。
【請求項１２】
前記制御部は、前記第１の表示部に表示がされていないときに前記入力検出部で入力が検出された場合は、前記入力検出部の入力位置に対応する前記第２の表示部上の位置に指標を表示させることを特徴とする請求項１乃至１１の何れか１項に記載の表示装置。
【請求項１３】
操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置における表示方法であって、
前記入力検出部によって前記操作者の指の接触が検出された場合に、前記第１の表示部に前記表示装置の設定に係る指標の表示を開始させ、
前記入力検出部によって前記操作者の指の移動が検出された場合に、該指の移動の状態に従って前記指標の表示位置を移動させる、
ことを特徴とする表示方法。
【請求項１４】
操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置の制御部によって実行される表示プログラムであって、前記制御部に、
前記入力検出部によって前記操作者の指の接触が検出された場合に、前記第１の表示部に前記表示装置の設定に係る指標の表示を開始させる機能と、
前記入力検出部によって前記操作者の指の移動が検出された場合に、該指の移動の状態に従って前記指標の表示位置を移動させる機能と、
を実現させるための表示プログラム。
【手続補正２】
【補正対象書類名】明細書
【補正対象項目名】発明の名称
【補正方法】変更
【補正の内容】
【発明の名称】表示装置、表示方法及び表示プログラム
【手続補正３】
【補正対象書類名】明細書
【補正対象項目名】０００１
【補正方法】変更
【補正の内容】
【０００１】
本発明は、覗き込み型の表示部を有する表示装置、表示方法及び表示プログラムに関する。
【手続補正４】
【補正対象書類名】明細書
【補正対象項目名】０００６
【補正方法】変更
【補正の内容】
【０００６】
本発明は、前記の事情に鑑みてなされたもので、覗き込み型の表示部とタッチセンサとを併用した表示装置において、ユーザが表示部を覗き込んだ場合のタッチセンサの操作性を向上することが可能な表示装置、表示方法及び表示プログラムを提供することを目的とする。
【手続補正５】
【補正対象書類名】明細書
【補正対象項目名】０００７
【補正方法】変更
【補正の内容】
【０００７】
前記の目的を達成するために、本発明の第１の態様の表示装置は、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部と、前記入力検出部によって前記操作者の指の接触が検出された場合に、前記第１の表示部に当該表示装置の設定に係る指標の表示を開始させ、前記入力検出部によって前記操作者の指の移動が検出された場合に、該指の移動の状態に従って前記指標の表示位置を移動させる制御部と、を具備することを特徴とする。
前記の目的を達成するために、本発明の第２の態様の表示方法は、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置における表示方法であって、前記入力検出部によって前記操作者の指の接触が検出された場合に、前記第１の表示部に前記表示装置の設定に係る指標の表示を開始させ、前記入力検出部によって前記操作者の指の移動が検出された場合に、該指の移動の状態に従って前記指標の表示位置を移動させる、ことを特徴とする。
前記の目的を達成するために、本発明の第３の態様の表示プログラムは、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置の制御部によって実行される表示プログラムであって、前記制御部に、前記入力検出部によって前記操作者の指の接触が検出された場合に、前記第１の表示部に前記表示装置の設定に係る指標の表示を開始させる機能と、前記入力検出部によって前記操作者の指の移動が検出された場合に、該指の移動の状態に従って前記指標の表示位置を移動させる機能と、を実現させる。
【手続補正６】
【補正対象書類名】明細書
【補正対象項目名】０００８
【補正方法】変更
【補正の内容】
【０００８】
本発明によれば、覗き込み型のファインダとタッチセンサとを併用した表示装置において、ユーザがファインダを覗き込んだ場合のタッチセンサの操作性を向上することが可能な表示装置、表示方法及び表示プログラムを提供することができる。